(57)【特許請求の範囲】
【請求項１】
相互に通信可能な第１および第２の画像処理装置を管理する画像処理装置の管理装置であって、
前記第１の画像処理装置、および前記第１の画像処理装置の操作を行うことが可能な操作端末のうち少なくともいずれか一方で操作を受け付ける操作受付手段と、
前記操作受付手段にて操作を受け付けた場合に、前記操作端末が前記第２の画像処理装置に接近したことを前記操作端末で検知する検知手段と、
前記検知手段にて接近を検知した場合に、前記第１および第２の画像処理装置が互いに連携して行う動作である連携動作に関する指示を前記操作端末で受け付ける指示受付手段と、
前記指示受付手段にて受け付けた指示を前記操作端末から前記第１の画像処理装置へ送信する第１の送信手段と、
前記指示受付手段にて受け付けた指示を前記第２の画像処理装置へ送信する第２の送信手段と、
前記第１および第２の送信手段にて送信した指示に基づいて、前記第１および第２の画像処理装置に連携動作を実行させる連携動作実行手段とを備え、
前記指示受付手段は、前記第１の画像処理装置が行う動作の条件の設定と、前記第２の画像処理装置が行う動作の条件の設定とを受け付け、前記第１および第２の画像処理装置で共通する動作の条件の設定を共通の設定として受け付ける、画像処理装置の管理装置。
【請求項２】
相互に通信可能な第１および第２の画像処理装置を管理する画像処理装置の管理装置であって、
前記第１の画像処理装置、および前記第１の画像処理装置の操作を行うことが可能な操作端末のうち少なくともいずれか一方で操作を受け付ける操作受付手段と、
前記操作受付手段にて操作を受け付けた場合に、前記操作端末が前記第２の画像処理装置に接近したことを前記操作端末で検知する検知手段と、
前記検知手段にて接近を検知した場合に、前記第１および第２の画像処理装置が互いに連携して行う動作である連携動作に関する指示を前記操作端末で受け付ける指示受付手段と、
前記指示受付手段にて受け付けた指示を前記操作端末から前記第１の画像処理装置へ送信する第１の送信手段と、
前記指示受付手段にて受け付けた指示を前記第２の画像処理装置へ送信する第２の送信手段と、
前記第１および第２の送信手段にて送信した指示に基づいて、前記第１および第２の画像処理装置に連携動作を実行させる連携動作実行手段とを備え、
前記連携動作実行手段は、
前記指示受付手段がプリントの指示を受け付けた場合に、一の取得元から画像データを取得する画像データ取得手段と、
前記画像データ取得手段にて取得した画像データのプリントを第１の条件で前記第１の画像処理装置に実行させる第１の印刷動作実行手段と、
前記画像データ取得手段にて取得した画像データのプリントを、前記第１の条件とは異なる第２の条件で前記第２の画像処理装置に実行させる第２の印刷動作実行手段とを含む、画像処理装置の管理装置。
【請求項３】
前記第１の印刷動作実行手段は、前記画像データ取得手段にて取得した画像データにおける第１の部分のプリントを前記第１の画像処理装置に実行させ、
前記第１の印刷動作実行手段は、前記画像データ取得手段にて取得した画像データにおける、前記第１の部分とは異なる第２の部分のプリントを前記第２の画像処理装置に実行させる、請求項２に記載の画像処理装置の管理装置。
【請求項４】
前記検知手段にて接近を検知した場合に、連携動作に関する条件の設定を受け付ける画面を前記操作端末の表示部に表示する表示手段をさらに備え、
前記指示受付手段は、前記表示手段にて表示した画面を通じて連携動作に関する指示を受け付ける、請求項１〜３のいずれかに記載の画像処理装置の管理装置。
【請求項５】
前記指示受付手段は、原稿のスキャンおよびプリントのうち少なくともいずれか一方の指示を連携動作に関する指示として受け付ける、請求項１〜４のいずれかに記載の画像処理装置の管理装置。
【請求項６】
前記第２の送信手段は、前記指示受付手段にて受け付けた指示を、前記第１の画像処理装置を経由せずに前記操作端末から前記第２の画像処理装置へ無線通信により送信する、請求項１〜５のいずれかに記載の画像処理装置の管理装置。
【請求項７】
前記連携動作実行手段は、
前記指示受付手段が原稿のスキャンの連携動作の指示を受け付けた場合に、前記第１および第２の画像処理装置に原稿のスキャンの連携動作を実行させる第１の読取動作実行手段と、
前記第１および第２の画像処理装置の各々が実行したスキャンによって生成した画像データをマージするマージ手段と、
前記マージ手段にてマージした画像データを一の出力先に出力する画像データ出力手段とを含む、請求項１〜６のいずれかに記載の画像処理装置の管理装置。
【請求項８】
前記連携動作実行手段は、
前記指示受付手段が原稿のスキャンの連携動作の指示を受け付けた場合に、前記第１および第２の画像処理装置に原稿のスキャンの連携動作を実行させる第２の読取動作実行手段と、
前記第１の画像処理装置が実行したスキャンによって生成した画像データを第１のファイル名で出力する第１のファイル出力手段と、
前記第２の画像処理装置が実行したスキャンによって生成した画像データを、前記第１のファイル名の一部と共通する第２のファイル名で出力する第２のファイル出力手段とを含む、請求項１〜７のいずれかに記載の画像処理装置の管理装置。
【請求項９】
相互に通信可能な第１および第２の画像処理装置を管理する画像処理装置の管理装置の制御方法であって、
前記第１の画像処理装置、および前記第１の画像処理装置の操作を行うことが可能な操作端末のうち少なくともいずれか一方で操作を受け付ける操作受付ステップと、
前記操作受付ステップにて操作を受け付けた場合に、前記操作端末が前記第２の画像処理装置に接近したことを前記操作端末で検知する検知ステップと、
前記検知ステップにて接近を検知した場合に、前記第１および第２の画像処理装置が互いに連携して行う動作である連携動作に関する指示を前記操作端末で受け付ける指示受付ステップと、
前記指示受付ステップにて受け付けた指示を前記操作端末から前記第１の画像処理装置へ送信する第１の送信ステップと、
前記指示受付ステップにて受け付けた指示を前記第２の画像処理装置へ送信する第２の送信ステップと、
前記第１および第２の送信ステップにて送信した指示に基づいて、前記第１および第２の画像処理装置に連携動作を実行させる連携動作実行ステップとを備え、
前記指示受付ステップにおいて、前記第１の画像処理装置が行う動作の条件の設定と、前記第２の画像処理装置が行う動作の条件の設定とを受け付け、前記第１および第２の画像処理装置で共通する動作の条件の設定を共通の設定として受け付ける、画像処理装置の管理装置の制御方法。
【請求項１０】
相互に通信可能な第１および第２の画像処理装置を管理する画像処理装置の管理装置の制御方法であって、
前記第１の画像処理装置、および前記第１の画像処理装置の操作を行うことが可能な操作端末のうち少なくともいずれか一方で操作を受け付ける操作受付ステップと、
前記操作受付ステップにて操作を受け付けた場合に、前記操作端末が前記第２の画像処理装置に接近したことを前記操作端末で検知する検知ステップと、
前記検知ステップにて接近を検知した場合に、前記第１および第２の画像処理装置が互いに連携して行う動作である連携動作に関する指示を前記操作端末で受け付ける指示受付ステップと、
前記指示受付ステップにて受け付けた指示を前記操作端末から前記第１の画像処理装置へ送信する第１の送信ステップと、
前記指示受付ステップにて受け付けた指示を前記第２の画像処理装置へ送信する第２の送信ステップと、
前記第１および第２の送信ステップにて送信した指示に基づいて、前記第１および第２の画像処理装置に連携動作を実行させる連携動作実行ステップとを備え、
前記連携動作実行ステップは、
前記指示受付ステップにてプリントの指示を受け付けた場合に、一の取得元から画像データを取得する画像データ取得ステップと、
前記画像データ取得ステップにて取得した画像データのプリントを第１の条件で前記第１の画像処理装置に実行させる第１の印刷動作実行ステップと、
前記画像データ取得ステップにて取得した画像データのプリントを、前記第１の条件とは異なる第２の条件で前記第２の画像処理装置に実行させる第２の印刷動作実行ステップとを含む、画像処理装置の管理装置の制御方法。
【請求項１１】
前記第１の印刷動作実行ステップにおいて、前記画像データ取得ステップにて取得した画像データにおける第１の部分のプリントを前記第１の画像処理装置に実行させ、
前記第１の印刷動作実行ステップにおいて、前記画像データ取得ステップにて取得した画像データにおける、前記第１の部分とは異なる第２の部分のプリントを前記第２の画像処理装置に実行させる、請求項１０に記載の画像処理装置の管理装置の制御方法。
【請求項１２】
相互に通信可能な第１および第２の画像処理装置を管理する画像処理装置の管理装置の制御プログラムあって、
前記第１の画像処理装置、および前記第１の画像処理装置の操作を行うことが可能な操作端末のうち少なくともいずれか一方で操作を受け付ける操作受付ステップと、
前記操作受付ステップにて操作を受け付けた場合に、前記操作端末が前記第２の画像処理装置に接近したことを前記操作端末で検知する検知ステップと、
前記検知ステップにて接近を検知した場合に、前記第１および第２の画像処理装置が互いに連携して行う動作である連携動作に関する指示を前記操作端末で受け付ける指示受付ステップと、
前記指示受付ステップにて受け付けた指示を前記操作端末から前記第１の画像処理装置へ送信する第１の送信ステップと、
前記指示受付ステップにて受け付けた指示を前記第２の画像処理装置へ送信する第２の送信ステップと、
前記第１および第２の送信ステップにて送信した指示に基づいて、前記第１および第２の画像処理装置に連携動作を実行させる連携動作実行ステップとをコンピューターに実行させ、
前記指示受付ステップにおいて、前記第１の画像処理装置が行う動作の条件の設定と、前記第２の画像処理装置が行う動作の条件の設定とを受け付け、前記第１および第２の画像処理装置で共通する動作の条件の設定を共通の設定として受け付ける、画像処理装置の管理装置の制御プログラム。
【請求項１３】
相互に通信可能な第１および第２の画像処理装置を管理する画像処理装置の管理装置の制御プログラムであって、
前記第１の画像処理装置、および前記第１の画像処理装置の操作を行うことが可能な操作端末のうち少なくともいずれか一方で操作を受け付ける操作受付ステップと、
前記操作受付ステップにて操作を受け付けた場合に、前記操作端末が前記第２の画像処理装置に接近したことを前記操作端末で検知する検知ステップと、
前記検知ステップにて接近を検知した場合に、前記第１および第２の画像処理装置が互いに連携して行う動作である連携動作に関する指示を前記操作端末で受け付ける指示受付ステップと、
前記指示受付ステップにて受け付けた指示を前記操作端末から前記第１の画像処理装置へ送信する第１の送信ステップと、
前記指示受付ステップにて受け付けた指示を前記第２の画像処理装置へ送信する第２の送信ステップと、
前記第１および第２の送信ステップにて送信した指示に基づいて、前記第１および第２の画像処理装置に連携動作を実行させる連携動作実行ステップとをコンピューターに実行させ、
前記連携動作実行ステップは、
前記指示受付ステップにてプリントの指示を受け付けた場合に、一の取得元から画像データを取得する画像データ取得ステップと、
前記画像データ取得ステップにて取得した画像データのプリントを第１の条件で前記第１の画像処理装置に実行させる第１の印刷動作実行ステップと、
前記画像データ取得ステップにて取得した画像データのプリントを、前記第１の条件とは異なる第２の条件で前記第２の画像処理装置に実行させる第２の印刷動作実行ステップとを含む、画像処理装置の管理装置のプログラム。
【請求項１４】
前記第１の印刷動作実行ステップにおいて、前記画像データ取得ステップにて取得した画像データにおける第１の部分のプリントを前記第１の画像処理装置に実行させ、
前記第１の印刷動作実行ステップにおいて、前記画像データ取得ステップにて取得した画像データにおける、前記第１の部分とは異なる第２の部分のプリントを前記第２の画像処理装置に実行させる、請求項１３に記載の画像処理装置の管理装置の制御プログラム。
【請求項１５】
第１および第２の画像処理装置と通信可能な操作端末であって、
前記操作端末からの前記第１の画像処理装置の操作が可能な状態において、前記第１の画像処理装置に対する操作を示す情報、または、前記第１の画像処理装置に対する操作の指示を受け付ける操作受付手段と、
前記操作受付手段にて操作を受け付けた場合に、前記操作端末と前記第２の画像処理装置とが接近したことを検知する検知手段と、
前記検知手段にて接近を検知した場合に、前記第１および第２の画像処理装置により一つのジョブを実行させる動作である連携動作に関する指示を受け付ける指示受付手段と、
前記指示受付手段にて受け付けた指示に基づいて、前記第１および第２の画像処理装置に連携動作を実行させる連携動作実行手段とを備え、
前記指示受付手段は、前記第１の画像処理装置が行う動作の条件の設定と、前記第２の画像処理装置が行う動作の条件の設定とを受け付け、前記第１および第２の画像処理装置で共通する動作の条件の設定を共通の設定として受け付ける、操作端末。
【請求項１６】
第１および第２の画像処理装置と通信可能な操作端末であって、
前記操作端末からの前記第１の画像処理装置の操作が可能な状態において、前記第１の画像処理装置に対する操作を示す情報、または、前記第１の画像処理装置に対する操作の指示を受け付ける操作受付手段と、
前記操作受付手段にて操作を受け付けた場合に、前記操作端末と前記第２の画像処理装置とが接近したことを検知する検知手段と、
前記検知手段にて接近を検知した場合に、前記第１および第２の画像処理装置により一つのジョブを実行させる動作である連携動作に関する指示を受け付ける指示受付手段と、
前記指示受付手段にて受け付けた指示に基づいて、前記第１および第２の画像処理装置に連携動作を実行させる連携動作実行手段とを備え、
前記連携動作実行手段は、
前記指示受付手段がプリントの指示を受け付けた場合に、一の取得元から画像データを取得する画像データ取得手段と、
前記画像データ取得手段にて取得した画像データのプリントを第１の条件で前記第１の画像処理装置に実行させる第１の印刷動作実行手段と、
前記画像データ取得手段にて取得した画像データのプリントを、前記第１の条件とは異なる第２の条件で前記第２の画像処理装置に実行させる第２の印刷動作実行手段とを含む、操作端末。
【請求項１７】
第１および第２の画像処理装置と通信可能な操作端末の制御方法であって、
前記操作端末からの前記第１の画像処理装置の操作が可能な状態において、前記第１の画像処理装置に対する操作を示す情報、または、前記第１の画像処理装置に対する操作の指示を受け付ける操作受付ステップと、
前記操作受付ステップにて操作を受け付けた場合に、前記操作端末と前記第２の画像処理装置とが接近したことを検知する検知ステップと、
前記検知ステップにて接近を検知した場合に、前記第１および第２の画像処理装置により一つのジョブを実行させる動作である連携動作に関する指示を受け付ける指示受付ステップと、
前記指示受付ステップにて受け付けた指示に基づいて、前記第１および第２の画像処理装置に連携動作を実行させる連携動作実行ステップとを備え、
前記指示受付ステップにおいて、前記第１の画像処理装置が行う動作の条件の設定と、前記第２の画像処理装置が行う動作の条件の設定とを受け付け、前記第１および第２の画像処理装置で共通する動作の条件の設定を共通の設定として受け付ける、操作端末の制御方法。
【請求項１８】
第１および第２の画像処理装置と通信可能な操作端末の制御方法であって、
前記操作端末からの前記第１の画像処理装置の操作が可能な状態において、前記第１の画像処理装置に対する操作を示す情報、または、前記第１の画像処理装置に対する操作の指示を受け付ける操作受付ステップと、
前記操作受付ステップにて操作を受け付けた場合に、前記操作端末と前記第２の画像処理装置とが接近したことを検知する検知ステップと、
前記検知ステップにて接近を検知した場合に、前記第１および第２の画像処理装置により一つのジョブを実行させる動作である連携動作に関する指示を受け付ける指示受付ステップと、
前記指示受付ステップにて受け付けた指示に基づいて、前記第１および第２の画像処理装置に連携動作を実行させる連携動作実行ステップとを備え、
前記連携動作実行ステップは、
前記指示受付ステップにてプリントの指示を受け付けた場合に、一の取得元から画像データを取得する画像データ取得ステップと、
前記画像データ取得ステップにて取得した画像データのプリントを第１の条件で前記第１の画像処理装置に実行させる第１の印刷動作実行ステップと、
前記画像データ取得ステップにて取得した画像データのプリントを、前記第１の条件とは異なる第２の条件で前記第２の画像処理装置に実行させる第２の印刷動作実行ステップとを含む、操作端末の制御方法。
【請求項１９】
第１および第２の画像処理装置と通信可能な操作端末の制御プログラムであって、
前記操作端末からの前記第１の画像処理装置の操作が可能な状態において、前記第１の画像処理装置に対する操作を示す情報、または、前記第１の画像処理装置に対する操作の指示を受け付ける操作受付ステップと、
前記操作受付ステップにて操作を受け付けた場合に、前記操作端末と前記第２の画像処理装置とが接近したことを検知する検知ステップと、
前記検知ステップにて接近を検知した場合に、前記第１および第２の画像処理装置により一つのジョブを実行させる動作である連携動作に関する指示を受け付ける指示受付ステップと、
前記指示受付ステップにて受け付けた指示に基づいて、前記第１および第２の画像処理装置に連携動作を実行させる連携動作実行ステップとをコンピューターに実行させ、
前記指示受付ステップにおいて、前記第１の画像処理装置が行う動作の条件の設定と、前記第２の画像処理装置が行う動作の条件の設定とを受け付け、前記第１および第２の画像処理装置で共通する動作の条件の設定を共通の設定として受け付ける、操作端末の制御プログラム。
【請求項２０】
第１および第２の画像処理装置と通信可能な操作端末の制御プログラムであって、
前記操作端末からの前記第１の画像処理装置の操作が可能な状態において、前記第１の画像処理装置に対する操作を示す情報、または、前記第１の画像処理装置に対する操作の指示を受け付ける操作受付ステップと、
前記操作受付ステップにて操作を受け付けた場合に、前記操作端末と前記第２の画像処理装置とが接近したことを検知する検知ステップと、
前記検知ステップにて接近を検知した場合に、前記第１および第２の画像処理装置により一つのジョブを実行させる動作である連携動作に関する指示を受け付ける指示受付ステップと、
前記指示受付ステップにて受け付けた指示に基づいて、前記第１および第２の画像処理装置に連携動作を実行させる連携動作実行ステップとをコンピューターに実行させ、
前記連携動作実行ステップは、
前記指示受付ステップにてプリントの指示を受け付けた場合に、一の取得元から画像データを取得する画像データ取得ステップと、
前記画像データ取得ステップにて取得した画像データのプリントを第１の条件で前記第１の画像処理装置に実行させる第１の印刷動作実行ステップと、
前記画像データ取得ステップにて取得した画像データのプリントを、前記第１の条件とは異なる第２の条件で前記第２の画像処理装置に実行させる第２の印刷動作実行ステップとを含む、操作端末の制御プログラム。
【発明の詳細な説明】
【技術分野】
【０００１】
本発明は画像処理装置の管理装置、画像処理装置の管理装置の制御方法、画像処理装置の管理装置の制御プログラム、操作端末、操作端末の制御方法、および操作端末の制御プログラムに関し、より特定的には、相互に通信可能な第１および第２の画像処理装置を管理する画像処理装置の管理装置、画像処理装置の管理装置の制御方法、画像処理装置の管理装置の制御プログラム、操作端末、操作端末の制御方法、および操作端末の制御プログラムに関する。
【背景技術】
【０００２】
近年、携帯情報端末（携帯端末）が高機能化しており、個人がＰＣ（Ｐｅｒｓｏｎａｌ  Ｃｏｍｐｕｔｅｒ）の代わりに携帯情報端末を所有している。携帯情報端末では、電子化された文書を任意の場所で自由に閲覧および編集することができる。携帯情報端末は、業務や生活の様々な場面で用いられるようになっている。
【０００３】
携帯情報端末の高機能化に伴い、画像形成装置と携帯情報端末とを備えた画像形成システムにおいて、画像形成装置と携帯情報端末との連携が求められている。
【０００４】
上記の要求に応えるべく、画像形成装置ではリモートパネル機能が提案されている。リモートパネル機能とは、ネットワークなどを介して画像形成装置と接続された携帯情報端末で画像形成装置の操作を受け付け、その操作の情報を携帯情報端末から画像形成装置へ送り、画像形成装置においてその操作の情報に基づく処理を行い、その処理に伴う更新画面の情報を携帯情報端末へ送信する機能である。リモートパネル機能によれば、画像形成装置の操作パネルを携帯情報端末から操作することができる。
【０００５】
また、画像形成システムにおいては、複数の画像形成装置による相互の連携が求められている。たとえば下記特許文献１には、端末装置からＭＦＰにプリントジョブを投入した後、他のＭＦＰと端末装置との通信が行われた場合に、ＭＦＰおよび他のＭＦＰに１つのプリントジョブを分配する技術が開示されている。
【先行技術文献】
【特許文献】
【０００６】
【特許文献１】特開２０１１−１１９８９６号公報
【発明の概要】
【発明が解決しようとする課題】
【０００７】
しかしながら、特許文献１の技術では、ＭＦＰと連携動作させる他のＭＦＰを、端末装置上で指定する必要があり、ＭＦＰ同士を連携動作させる際の操作が煩雑であるという問題があった。
【０００８】
本発明は、上記課題を解決するためのものであり、その目的は、簡易な方法で画像処理装置同士を連携動作させることのできる画像処理装置の管理装置、画像処理装置の管理装置の制御方法、画像処理装置の管理装置の制御プログラム、操作端末、操作端末の制御方法、および操作端末の制御プログラムを提供することである。
【課題を解決するための手段】
【０００９】
本発明の一の局面に従う画像処理装置の管理装置は、相互に通信可能な第１および第２の画像処理装置を管理する画像処理装置の管理装置であって、第１の画像処理装置、および第１の画像処理装置の操作を行うことが可能な操作端末のうち少なくともいずれか一方で操作を受け付ける操作受付手段と、操作受付手段にて操作を受け付けた場合に、操作端末が第２の画像処理装置に接近したことを操作端末で検知する検知手段と、検知手段にて接近を検知した場合に、第１および第２の画像処理装置が互いに連携して行う動作である連携動作に関する指示を操作端末で受け付ける指示受付手段と、指示受付手段にて受け付けた指示を操作端末から第１の画像処理装置へ送信する第１の送信手段と、指示受付手段にて受け付けた指示を第２の画像処理装置へ送信する第２の送信手段と、第１および第２の送信手段にて送信した指示に基づいて、第１および第２の画像処理装置に連携動作を実行させる連携動作実行手段とを備え、指示受付手段は、第１の画像処理装置が行う動作の条件の設定と、第２の画像処理装置が行う動作の条件の設定とを受け付け、第１および第２の画像処理装置で共通する動作の条件の設定を共通の設定として受け付ける。
本発明の他の局面に従う画像処理装置の管理装置は、相互に通信可能な第１および第２の画像処理装置を管理する画像処理装置の管理装置であって、第１の画像処理装置、および第１の画像処理装置の操作を行うことが可能な操作端末のうち少なくともいずれか一方で操作を受け付ける操作受付手段と、操作受付手段にて操作を受け付けた場合に、操作端末が第２の画像処理装置に接近したことを操作端末で検知する検知手段と、検知手段にて接近を検知した場合に、第１および第２の画像処理装置が互いに連携して行う動作である連携動作に関する指示を操作端末で受け付ける指示受付手段と、指示受付手段にて受け付けた指示を操作端末から第１の画像処理装置へ送信する第１の送信手段と、指示受付手段にて受け付けた指示を第２の画像処理装置へ送信する第２の送信手段と、第１および第２の送信手段にて送信した指示に基づいて、第１および第２の画像処理装置に連携動作を実行させる連携動作実行手段とを備え、連携動作実行手段は、指示受付手段がプリントの指示を受け付けた場合に、一の取得元から画像データを取得する画像データ取得手段と、画像データ取得手段にて取得した画像データのプリントを第１の条件で第１の画像処理装置に実行させる第１の印刷動作実行手段と、画像データ取得手段にて取得した画像データのプリントを、第１の条件とは異なる第２の条件で前記第２の画像処理装置に実行させる第２の印刷動作実行手段とを含む。
上記画像処理装置の管理装置において好ましくは、第１の印刷動作実行手段は、画像データ取得手段にて取得した画像データにおける第１の部分のプリントを第１の画像処理装置に実行させ、第１の印刷動作実行手段は、画像データ取得手段にて取得した画像データにおける、第１の部分とは異なる第２の部分のプリントを第２の画像処理装置に実行させる。
【００１０】
上記画像処理装置の管理装置において好ましくは、検知手段にて接近を検知した場合に、連携動作に関する条件の設定を受け付ける画面を操作端末の表示部に表示する表示手段をさらに備え、指示受付手段は、表示手段にて表示した画面を通じて連携動作に関する指示を受け付ける。
【００１２】
上記画像処理装置の管理装置において好ましくは、指示受付手段は、原稿のスキャンおよびプリントのうち少なくともいずれか一方の指示を連携動作に関する指示として受け付ける。
【００１３】
上記画像処理装置の管理装置において好ましくは、第２の送信手段は、指示受付手段にて受け付けた指示を、第１の画像処理装置を経由せずに操作端末から第２の画像処理装置へ無線通信により送信する。
【００１４】
上記画像処理装置の管理装置において好ましくは、連携動作実行手段は、指示受付手段が原稿のスキャンの連携動作の指示を受け付けた場合に、第１および第２の画像処理装置に原稿のスキャンの連携動作を実行させる第１の読取動作実行手段と、第１および第２の画像処理装置の各々が実行したスキャンによって生成した画像データをマージするマージ手段と、マージ手段にてマージした画像データを一の出力先に出力する画像データ出力手段とを含む。
【００１５】
上記画像処理装置の管理装置において好ましくは、連携動作実行手段は、指示受付手段が原稿のスキャンの連携動作の指示を受け付けた場合に、第１および第２の画像処理装置に原稿のスキャンの連携動作を実行させる第２の読取動作実行手段と、第１の画像処理装置が実行したスキャンによって生成した画像データを第１のファイル名で出力する第１のファイル出力手段と、第２の画像処理装置が実行したスキャンによって生成した画像データを、第１のファイル名の一部と共通する第２のファイル名で出力する第２のファイル出力手段とを含む。
【００１８】
本発明のさらに他の局面に従う画像処理装置の管理装置の制御方法は、相互に通信可能な第１および第２の画像処理装置を管理する画像処理装置の管理装置の制御方法であって、第１の画像処理装置、および第１の画像処理装置の操作を行うことが可能な操作端末のうち少なくともいずれか一方で操作を受け付ける操作受付ステップと、操作受付ステップにて操作を受け付けた場合に、操作端末が第２の画像処理装置に接近したことを操作端末で検知する検知ステップと、検知ステップにて接近を検知した場合に、第１および第２の画像処理装置が互いに連携して行う動作である連携動作に関する指示を操作端末で受け付ける指示受付ステップと、指示受付ステップにて受け付けた指示を操作端末から第１の画像処理装置へ送信する第１の送信ステップと、指示受付ステップにて受け付けた指示を第２の画像処理装置へ送信する第２の送信ステップと、第１および第２の送信ステップにて送信した指示に基づいて、第１および第２の画像処理装置に連携動作を実行させる連携動作実行ステップとを備え、指示受付ステップにおいて、第１の画像処理装置が行う動作の条件の設定と、第２の画像処理装置が行う動作の条件の設定とを受け付け、第１および第２の画像処理装置で共通する動作の条件の設定を共通の設定として受け付ける。
本発明のさらに他の局面に従う画像処理装置の管理装置の制御方法は、相互に通信可能な第１および第２の画像処理装置を管理する画像処理装置の管理装置の制御方法であって、第１の画像処理装置、および第１の画像処理装置の操作を行うことが可能な操作端末のうち少なくともいずれか一方で操作を受け付ける操作受付ステップと、操作受付ステップにて操作を受け付けた場合に、操作端末が第２の画像処理装置に接近したことを操作端末で検知する検知ステップと、検知ステップにて接近を検知した場合に、第１および第２の画像処理装置が互いに連携して行う動作である連携動作に関する指示を操作端末で受け付ける指示受付ステップと、指示受付ステップにて受け付けた指示を操作端末から第１の画像処理装置へ送信する第１の送信ステップと、指示受付ステップにて受け付けた指示を第２の画像処理装置へ送信する第２の送信ステップと、第１および第２の送信ステップにて送信した指示に基づいて、第１および第２の画像処理装置に連携動作を実行させる連携動作実行ステップとを備え、連携動作実行ステップは、指示受付ステップにてプリントの指示を受け付けた場合に、一の取得元から画像データを取得する画像データ取得ステップと、画像データ取得ステップにて取得した画像データのプリントを第１の条件で第１の画像処理装置に実行させる第１の印刷動作実行ステップと、画像データ取得ステップにて取得した画像データのプリントを、第１の条件とは異なる第２の条件で第２の画像処理装置に実行させる第２の印刷動作実行ステップとを含む。
上記画像処理装置の管理装置の制御方法において好ましくは、第１の印刷動作実行ステップにおいて、画像データ取得ステップにて取得した画像データにおける第１の部分のプリントを前記第１の画像処理装置に実行させ、第１の印刷動作実行ステップにおいて、画像データ取得ステップにて取得した画像データにおける、第１の部分とは異なる第２の部分のプリントを第２の画像処理装置に実行させる。
【００１９】
本発明のさらに他の局面に従う画像処理装置の管理装置の制御プログラムは、相互に通信可能な第１および第２の画像処理装置を管理する画像処理装置の管理装置の制御プログラムあって、第１の画像処理装置、および第１の画像処理装置の操作を行うことが可能な操作端末のうち少なくともいずれか一方で操作を受け付ける操作受付ステップと、操作受付ステップにて操作を受け付けた場合に、操作端末が第２の画像処理装置に接近したことを操作端末で検知する検知ステップと、検知ステップにて接近を検知した場合に、第１および第２の画像処理装置が互いに連携して行う動作である連携動作に関する指示を操作端末で受け付ける指示受付ステップと、指示受付ステップにて受け付けた指示を操作端末から第１の画像処理装置へ送信する第１の送信ステップと、指示受付ステップにて受け付けた指示を第２の画像処理装置へ送信する第２の送信ステップと、第１および第２の送信ステップにて送信した指示に基づいて、第１および第２の画像処理装置に連携動作を実行させる連携動作実行ステップとをコンピューターに実行させ、指示受付ステップにおいて、第１の画像処理装置が行う動作の条件の設定と、第２の画像処理装置が行う動作の条件の設定とを受け付け、第１および第２の画像処理装置で共通する動作の条件の設定を共通の設定として受け付ける。
本発明のさらに他の局面に従う画像処理装置の管理装置の制御プログラムは、相互に通信可能な第１および第２の画像処理装置を管理する画像処理装置の管理装置の制御プログラムであって、第１の画像処理装置、および第１の画像処理装置の操作を行うことが可能な操作端末のうち少なくともいずれか一方で操作を受け付ける操作受付ステップと、操作受付ステップにて操作を受け付けた場合に、操作端末が第２の画像処理装置に接近したことを操作端末で検知する検知ステップと、検知ステップにて接近を検知した場合に、第１および第２の画像処理装置が互いに連携して行う動作である連携動作に関する指示を操作端末で受け付ける指示受付ステップと、指示受付ステップにて受け付けた指示を操作端末から第１の画像処理装置へ送信する第１の送信ステップと、指示受付ステップにて受け付けた指示を第２の画像処理装置へ送信する第２の送信ステップと、第１および第２の送信ステップにて送信した指示に基づいて、第１および第２の画像処理装置に連携動作を実行させる連携動作実行ステップとをコンピューターに実行させ、連携動作実行ステップは、指示受付ステップにてプリントの指示を受け付けた場合に、一の取得元から画像データを取得する画像データ取得ステップと、画像データ取得ステップにて取得した画像データのプリントを第１の条件で第１の画像処理装置に実行させる第１の印刷動作実行ステップと、画像データ取得ステップにて取得した画像データのプリントを、第１の条件とは異なる第２の条件で第２の画像処理装置に実行させる第２の印刷動作実行ステップとを含む。
上記画像処理装置の管理装置の制御プログラムにおいて好ましくは、第１の印刷動作実行ステップにおいて、画像データ取得ステップにて取得した画像データにおける第１の部分のプリントを第１の画像処理装置に実行させ、第１の印刷動作実行ステップにおいて、画像データ取得ステップにて取得した画像データにおける、第１の部分とは異なる第２の部分のプリントを第２の画像処理装置に実行させる。
本発明のさらに他の局面に従う操作端末は、第１および第２の画像処理装置と通信可能な操作端末であって、操作端末からの第１の画像処理装置の操作が可能な状態において、第１の画像処理装置に対する操作を示す情報、または、第１の画像処理装置に対する操作の指示を受け付ける操作受付手段と、操作受付手段にて操作を受け付けた場合に、操作端末と第２の画像処理装置とが接近したことを検知する検知手段と、検知手段にて接近を検知した場合に、第１および第２の画像処理装置により一つのジョブを実行させる動作である連携動作に関する指示を受け付ける指示受付手段と、指示受付手段にて受け付けた指示に基づいて、第１および第２の画像処理装置に連携動作を実行させる連携動作実行手段とを備え、指示受付手段は、第１の画像処理装置が行う動作の条件の設定と、第２の画像処理装置が行う動作の条件の設定とを受け付け、第１および第２の画像処理装置で共通する動作の条件の設定を共通の設定として受け付ける。
本発明のさらに他の局面に従う操作端末は、第１および第２の画像処理装置と通信可能な操作端末であって、操作端末からの第１の画像処理装置の操作が可能な状態において、第１の画像処理装置に対する操作を示す情報、または、第１の画像処理装置に対する操作の指示を受け付ける操作受付手段と、操作受付手段にて操作を受け付けた場合に、操作端末と第２の画像処理装置とが接近したことを検知する検知手段と、検知手段にて接近を検知した場合に、第１および第２の画像処理装置により一つのジョブを実行させる動作である連携動作に関する指示を受け付ける指示受付手段と、指示受付手段にて受け付けた指示に基づいて、第１および第２の画像処理装置に連携動作を実行させる連携動作実行手段とを備え、連携動作実行手段は、指示受付手段がプリントの指示を受け付けた場合に、一の取得元から画像データを取得する画像データ取得手段と、画像データ取得手段にて取得した画像データのプリントを第１の条件で第１の画像処理装置に実行させる第１の印刷動作実行手段と、画像データ取得手段にて取得した画像データのプリントを、第１の条件とは異なる第２の条件で第２の画像処理装置に実行させる第２の印刷動作実行手段とを含む。
本発明のさらに他の局面に従う操作端末の制御方法は、第１および第２の画像処理装置と通信可能な操作端末の制御方法であって、操作端末からの第１の画像処理装置の操作が可能な状態において、第１の画像処理装置に対する操作を示す情報、または、第１の画像処理装置に対する操作の指示を受け付ける操作受付ステップと、操作受付ステップにて操作を受け付けた場合に、操作端末と第２の画像処理装置とが接近したことを検知する検知ステップと、検知ステップにて接近を検知した場合に、第１および第２の画像処理装置により一つのジョブを実行させる動作である連携動作に関する指示を受け付ける指示受付ステップと、指示受付ステップにて受け付けた指示に基づいて、第１および第２の画像処理装置に連携動作を実行させる連携動作実行ステップとを備え、指示受付ステップにおいて、第１の画像処理装置が行う動作の条件の設定と、第２の画像処理装置が行う動作の条件の設定とを受け付け、第１および第２の画像処理装置で共通する動作の条件の設定を共通の設定として受け付ける。
本発明のさらに他の局面に従う操作端末の制御方法は、第１および第２の画像処理装置と通信可能な操作端末の制御方法であって、操作端末からの第１の画像処理装置の操作が可能な状態において、第１の画像処理装置に対する操作を示す情報、または、第１の画像処理装置に対する操作の指示を受け付ける操作受付ステップと、操作受付ステップにて操作を受け付けた場合に、操作端末と第２の画像処理装置とが接近したことを検知する検知ステップと、検知ステップにて接近を検知した場合に、第１および第２の画像処理装置により一つのジョブを実行させる動作である連携動作に関する指示を受け付ける指示受付ステップと、指示受付ステップにて受け付けた指示に基づいて、第１および第２の画像処理装置に連携動作を実行させる連携動作実行ステップとを備え、連携動作実行ステップは、指示受付ステップにてプリントの指示を受け付けた場合に、一の取得元から画像データを取得する画像データ取得ステップと、画像データ取得ステップにて取得した画像データのプリントを第１の条件で第１の画像処理装置に実行させる第１の印刷動作実行ステップと、画像データ取得ステップにて取得した画像データのプリントを、第１の条件とは異なる第２の条件で第２の画像処理装置に実行させる第２の印刷動作実行ステップとを含む。
本発明のさらに他の局面に従う操作端末の制御プログラムは、第１および第２の画像処理装置と通信可能な操作端末の制御プログラムであって、操作端末からの第１の画像処理装置の操作が可能な状態において、第１の画像処理装置に対する操作を示す情報、または、第１の画像処理装置に対する操作の指示を受け付ける操作受付ステップと、操作受付ステップにて操作を受け付けた場合に、操作端末と第２の画像処理装置とが接近したことを検知する検知ステップと、検知ステップにて接近を検知した場合に、第１および第２の画像処理装置により一つのジョブを実行させる動作である連携動作に関する指示を受け付ける指示受付ステップと、指示受付ステップにて受け付けた指示に基づいて、第１および第２の画像処理装置に連携動作を実行させる連携動作実行ステップとをコンピューターに実行させ、指示受付ステップにおいて、第１の画像処理装置が行う動作の条件の設定と、第２の画像処理装置が行う動作の条件の設定とを受け付け、第１および第２の画像処理装置で共通する動作の条件の設定を共通の設定として受け付ける。
本発明のさらに他の局面に従う操作端末の制御プログラムは、第１および第２の画像処理装置と通信可能な操作端末の制御プログラムであって、操作端末からの第１の画像処理装置の操作が可能な状態において、第１の画像処理装置に対する操作を示す情報、または、第１の画像処理装置に対する操作の指示を受け付ける操作受付ステップと、操作受付ステップにて操作を受け付けた場合に、操作端末と第２の画像処理装置とが接近したことを検知する検知ステップと、検知ステップにて接近を検知した場合に、第１および第２の画像処理装置により一つのジョブを実行させる動作である連携動作に関する指示を受け付ける指示受付ステップと、指示受付ステップにて受け付けた指示に基づいて、第１および第２の画像処理装置に連携動作を実行させる連携動作実行ステップとをコンピューターに実行させ、連携動作実行ステップは、指示受付ステップにてプリントの指示を受け付けた場合に、一の取得元から画像データを取得する画像データ取得ステップと、画像データ取得ステップにて取得した画像データのプリントを第１の条件で第１の画像処理装置に実行させる第１の印刷動作実行ステップと、画像データ取得ステップにて取得した画像データのプリントを、第１の条件とは異なる第２の条件で第２の画像処理装置に実行させる第２の印刷動作実行ステップとを含む。
【発明の効果】
【００２０】
本発明によれば、簡易な方法で画像処理装置同士を連携させることのできる画像処理装置の管理装置、画像処理装置の管理装置の制御方法、画像処理装置の管理装置の制御プログラム、操作端末、操作端末の制御方法、および操作端末の制御プログラムを提供することができる。
【図面の簡単な説明】
【００２１】
【図１】本発明の第１の実施の形態における画像処理システムの概略的な構成を示す図である。
【図２】ＭＦＰ１００および操作端末２００の構成を示すブロック図である。
【図３】操作端末２００の記憶部２０５が記憶する連携可能テーブルを模式的に示す図である。
【図４】本発明の第１の実施の形態において、ユーザーが行う操作を説明する図である。
【図５】操作端末２００の表示操作部２０２に表示される初期画面を模式的に示す図である。
【図６】操作端末２００の表示操作部２０２に表示される、スキャンジョブに関する通常操作画面を模式的に示す図である。
【図７】本発明の第１の実施の形態において、操作端末２００の表示操作部２０２に表示される連携操作画面を模式的に示す図である。
【図８】連携動作を終了した場合に操作端末２００が表示操作部２０２において行う処理終了の表示を模式的に示す図である。
【図９】本発明の第２の実施の形態における画像処理システムの動作を示すフローチャートである。
【図１０】本発明の第２の実施の形態において、ユーザーが行う操作を説明する図である。
【図１１】本発明の第２の実施の形態において、操作端末２００の表示操作部２０２に表示される連携操作画面を模式的に示す図である。
【図１２】本発明の第２の実施の形態における画像処理システムの動作を示すフローチャートである。
【図１３】本発明の第３の実施の形態において、ユーザーが行う操作を説明する図である。
【図１４】操作端末２００の表示操作部２０２に表示される、コピージョブに関する通常操作画面を模式的に示す図である。
【図１５】本発明の第３の実施の形態において、操作端末２００の表示操作部２０２に表示される連携操作画面を模式的に示す図である。
【図１６】本発明の第３の実施の形態における画像処理システムの動作を示すフローチャートである。
【発明を実施するための形態】
【００２２】
以下、本発明の実施の形態について、図面に基づいて説明する。
【００２３】
本実施の形態の画像処理システムは、相互に通信可能な第１および第２の画像処理装置と、第１および第２の画像処理装置を管理する画像処理装置の管理装置とを備えている。本実施の形態では、第１および第２の画像処理装置は、スキャナー機能、ファクシミリ機能、複写機能、プリンターとしての機能、データ通信機能、およびサーバー機能を備えたＭＦＰ（Ｍｕｌｔｉｆｕｎｃｔｉｏｎ  Ｐｅｒｉｐｈｅｒａｌ）である。画像処理装置の管理装置は、第１の画像処理装置の操作を行うことが可能な操作端末（携帯操作端末）である。
【００２４】
なお、第１および第２の画像処理装置は、ＭＦＰである場合の他、たとえばファクシミリ装置、複写機、プリンターなどのＭＦＰ以外の画像形成装置や、スキャナーまたはＰＣなどであってもよい。画像処理装置の管理装置は、操作端末である場合の他、たとえばＰＣや携帯電話などであってもよい。また画像処理装置の管理装置は、第１の画像処理装置または第２の画像処理装置自体であってもよいし、第１および第２の画像処理装置ならびに操作端末と相互に通信可能な管理サーバーなどであってもよい。
【００２５】
［第１の実施の形態］
始めに、本実施の形態における画像処理システムの概略的な構成について説明する。
【００２６】
図１は、本発明の第１の実施の形態における画像処理システムの概略的な構成を示す図である。
【００２７】
図１を参照して、画像処理システムは、ＭＦＰ１００ａ（第１の画像処理装置の一例）、ＭＦＰ１００ｂ（第２の画像処理装置の一例）、およびＭＦＰ１００ｃ（以降、これらのＭＦＰのうち任意のものをＭＦＰ１００と呼ぶことがある）と、操作端末２００とを備えている。ＭＦＰ１００ａ、ＭＦＰ１００ｂ、およびＭＦＰ１００ｃ、ならびに操作端末２００の各々は、ネットワーク３００により相互に接続されている。
【００２８】
ネットワーク３００は、有線または無線のＬＡＮ（Ｌｏｃａｌ  Ａｒｅａ  Ｎｅｔｗｏｒｋ）である。ネットワーク３００は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク３００に接続された機器は、お互いに各種データのやり取りが可能となっている。なお、ネットワーク３００に代えて、インターネット・専用線などの広域ネットワークを用いて各機器を接続してもよい。ここでは、ＭＦＰ１００ａ、ＭＦＰ１００ｂ、およびＭＦＰ１００ｃの各々は、たとえば有線のＬＡＮ３００ａにより相互に接続されており、ＭＦＰ１００ａ、ＭＦＰ１００ｂ、およびＭＦＰ１００ｃの各々と、操作端末２００とは、たとえば無線のＬＡＮ３００ｂにより相互に接続されている。
【００２９】
操作端末２００は表示操作部（タッチパネル）２０２を含んでいる。ＭＦＰ１００は、ＭＦＰ１００自体の操作部１０２（図２）および表示操作部２０２の各々からＭＦＰ１００の操作を受け付け可能である。ＭＦＰ１００の操作を受け付けた場合、ＭＦＰ１００は、受け付けた操作に基づいて処理を行う。
【００３０】
ＭＦＰ１００は、たとえば、読み込んだ原稿ＭＳの画像データや、操作端末２００などから受信したプリントデータに基づいてプリントを行い、印刷物ＰＭを出力する。プリントデータとは、たとえば、操作端末２００のオペレーティングシステムやアプリケーションプログラムが発行する描画命令を、プリンタドライバによってＭＦＰ１００が処理可能なページ記述言語に変換したものである。プリントデータは、ＰＤＦ、ＴＩＦＦ、ＪＰＥＧ、またはＸＰＳなどのファイルフォーマットで記述された文書データなどであってもよい。
【００３１】
ＭＦＰ１００は、ネットワーク３００を介して、操作端末２００に原稿の画像データを送信することも可能である。さらにＭＦＰ１００は、操作端末２００から受信した文書データを、ＭＦＰ１００内の記憶部１０５（図２）に蓄積することも可能である。
【００３２】
さらに、ＭＦＰ１００は連携動作を行うことができる。連携動作とは複数のＭＦＰが互いに連携して一つのジョブを実行する動作を意味している。
【００３３】
なお、画像処理システムは、ＭＦＰ１００および操作端末２００以外の機器をさらに備えていてもよいし、ＭＦＰ１００と相互に通信が可能な複数の操作端末２００を備えていてもよい。ＭＦＰ１００と操作端末２００とは、Ｂｌｕｅｔｏｏｔｈ（登録商標）などの近距離無線通信を用いて相互に通信が可能であってもよい。操作端末２００は少なくともＭＦＰ１００ａを操作可能であればよく、他のＭＦＰを操作することができなくてもよい。
【００３４】
続いて、ＭＦＰ１００および操作端末２００の構成について説明する。
【００３５】
図２は、ＭＦＰ１００および操作端末２００の構成を示すブロック図である。なお図２では、ＭＦＰ１００ｃの図示を省略している。
【００３６】
図２を参照して、ＭＦＰ１００は、システムコントローラー１０１と、操作部１０２と、メモリ１０３と、通信部１０４と、記憶部１０５と、画像形成部１０６と、画像処理部１０７と、画像撮像部１０８と、原稿検知部１０９などを含んでいる。システムコントローラー１０１には、操作部１０２、メモリ１０３、通信部１０４、記憶部１０５、画像形成部１０６、画像処理部１０７、画像撮像部１０８、および原稿検知部１０９の各々が接続されている。
【００３７】
システムコントローラー１０１は、スキャンジョブ、コピージョブ、メール送信ジョブ、およびプリントジョブなどの各種ジョブについて、ＭＦＰ１００全体の制御を行う。システムコントローラー１０１は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）などからなっている。ＣＰＵは、ＲＯＭに記憶された制御プログラムを実行する。ＲＯＭは、ＭＦＰ１００の動作を行うための各種プログラムと、各種固定データとを格納している。システムコントローラー１０１は、所定の処理を行うことにより、メモリ１０３からのデータの読み込みや、メモリ１０３へのデータの書き込みを行う。
【００３８】
操作部１０２は、たとえばハードウェアキーやソフトウェアキーなどを含んでいる。操作部１０２は、ＭＦＰ１００が実行するジョブに関する設定をユーザーから受け付ける。
【００３９】
メモリ１０３は、ＲＡＭ（Ｒａｎｄｏｍ  Ａｃｃｅｓｓ  Ｍｅｍｏｒｙ）であり、ＣＰＵが制御プログラムを実行するときに必要なデータや画像データを一時的に記憶するためなどに用いられる。
【００４０】
通信部１０４は、システムコントローラー１０１からの指示に従って、ＴＣＰ／ＩＰなどの通信プロトコルによって、ネットワーク３００を介して外部機器との通信を行う。
【００４１】
記憶部１０５は、たとえばＨＤＤ（Ｈａｒｄ  Ｄｉｓｋ  Ｄｒｉｖｅ）であり、ＭＦＰ１００の動作に関わる各種データなどを記憶する。また記憶部１０５は、ネットワーク３００を介して外部機器などから送られた印刷データなどのデータを記憶するボックス領域を含んでいる。
【００４２】
画像形成部１０６は、画像処理部１０７にて処理された画像データに基づいて用紙などへのプリント処理を行う。
【００４３】
画像処理部１０７は、印刷データに対するＲＩＰ（Ｒａｓｔｅｒ  ｉｍａｇｅ  ｐｒｏｃｅｓｓｉｎｇ）処理や、データを外部機器へ送信する際にそのデータの形式を変換する変換処理などを行う。画像処理部１０７は、画像撮像部１０８で読み取った画像のデータを作成する。
【００４４】
画像撮像部１０８は、原稿の画像を読み取る（撮像する）。
【００４５】
原稿検知部１０９は、ＭＦＰ１００における原稿の載置トレイ上への原稿の有無を検知する。
【００４６】
操作端末２００は、システムコントローラー２０１と、表示操作部２０２と、メモリ２０３と、通信部２０４と、記憶部２０５と、接近検知部２０６とを含んでいる。システムコントローラー２０１には、表示操作部２０２、メモリ２０３、通信部２０４、記憶部２０５および接近検知部２０６の各々が接続されている。
【００４７】
システムコントローラー２０１は、操作端末２００全体の制御を行う。システムコントローラー２０１は、ＣＰＵと、ＲＯＭなどからなっている。ＣＰＵは、ＲＯＭに記憶された制御プログラムを実行する。ＲＯＭは、操作端末２００の動作を行うための各種プログラムと、各種固定データとを格納している。システムコントローラー２０１は、所定の処理を行うことにより、メモリ２０３からのデータの読み込みや、メモリ２０３へのデータの書き込みを行う。
【００４８】
メモリ２０３は、ＲＡＭであり、ＣＰＵが制御プログラムを実行するときに必要なデータや画像データを一時的に記憶するためなどに用いられる。
【００４９】
通信部２０４は、システムコントローラー２０１からの指示に従って、ＴＣＰ／ＩＰなどの通信プロトコルによって、無線のＬＡＮ３００ｂを介してＭＦＰ１００との通信を行なう。
【００５０】
記憶部２０５は、たとえばＨＤＤであり、操作端末２００の動作に関わる各種データなどを記憶する。また記憶部２０５は、連携可能テーブルを記憶する。
【００５１】
接近検知部２０６は、所定の場合に、操作端末２００のＭＦＰ１００ｂまたはＭＦＰ１００ｃへの接近を検知する。接近検知部２０６は、たとえばモーションセンサー、近接センサー、人感センサー、グローバルポジショニングシステム（ＧＰＳ）受信機、またはモーショントラッキング装置などを用いて、操作端末２００の位置情報を取得し、その位置情報と、ＭＦＰ１００ｂまたはＭＦＰ１００ｃの位置情報とに基づいて接近を検知してもよい。モーションセンサーとは、加速度を検出するセンサーである。近接センサーとは、検出コイルのインピーダンス変化、静電容量変化、または高周波発振の周波数の変化などに基づいて、非接触で検出物体が近づいたことを検出するセンサーである。人感センサーとは、赤外線、超音波、または可視光などを用いて、物体の所在を関知するセンサーである。ＧＰＳ受信機とは、ＧＰＳ衛星から受信した電波の到達時間差から位置を求めるものである。モーショントラッキング装置とは、対象物の動きの軌跡を記録する装置である。ＭＦＰ１００ｂまたはＭＦＰ１００ｃの位置情報は、システムコントローラー２０１などが予め記憶していてもよいし、ネットワーク３００を通じてＭＦＰ１００ｂまたはＭＦＰ１００ｃから取得してもよい。
【００５２】
操作端末２００は、ＭＦＰ１００ａおよび操作端末２００のうち少なくともいずれか一方で操作を受け付けた場合に、操作端末２００がＭＦＰ１００ｂまたはＭＦＰ１００ｃに接近したことを検知する。ＭＦＰ１００ｂまたはＭＦＰ１００ｃへの接近を検知すると、操作端末２００は、連携動作に関する指示を受け付け、受け付けた指示をＭＦＰ１００ａとＭＦＰ１００ｂまたはＭＦＰ１００ｃとの各々へ送信し、ＭＦＰ１００ａと、ＭＦＰ１００ｂまたはＭＦＰ１００ｃとの各々に連携動作を実行させる。
【００５３】
図３は、操作端末２００の記憶部２０５が記憶する連携可能テーブルを模式的に示す図である。なお図３以降の説明では、ＭＦＰ１００ａをＭＦＰ１と表記し、ＭＦＰ１００ｂをＭＦＰ２と表記し、ＭＦＰ１００ｃをＭＦＰ３と表記することがある。
【００５４】
図３を参照して、操作端末２００の記憶部２０５は、連携可能テーブルを記憶している。連携可能テーブルの横方向（行方向）には、ＭＦＰ１００ａが連携可能な機器名と、ＭＦＰ１００ａがその機器とともに行うことが可能な連携動作（連携機能）の一覧とが並べられている。連携可能テーブルの縦方向（列方向）には、ＭＦＰ１００ａ（ＭＦＰ１）との連携動作を可能な機器が並べられている。図３の連携可能テーブルによれば、ＭＦＰ１００ｂは、ＭＦＰ１００ａとともに、原稿のスキャン（読み込み）、会議資料のボックス保存、および会議資料のコピーの連携動作を行うことが可能である。ＭＦＰ１００ｃは、ＭＦＰ１００ａとともに、原稿のスキャン、ファクシミリ送信、およびメール送信の連携動作を行うことが可能である。
【００５５】
操作端末２００は、操作端末２００がＭＦＰ１００ｂまたは１００ｃへ接近したことを検知した場合に、連携可能テーブルを参照し、ＭＦＰ１００ａがそのＭＦＰとともに行うことが可能な連携機能を認識する。そして操作端末２００は、認識した連携機能に基づいて、連携操作画面を表示操作部２０２に表示する。
【００５６】
続いて、画像処理システムの動作について説明する。本実施の形態では、ＭＦＰ１００ａとＭＦＰ１００ｂとが連携して原稿をスキャンする場合の、画像処理システムの動作について説明する。
【００５７】
図４は、本発明の第１の実施の形態において、ユーザーが行う操作を説明する図である。
【００５８】
図４を参照して、始めにユーザーは、操作端末２００を持ったままＭＦＰ１００ａに接近し、ＭＦＰ１００ａにおける原稿の載置トレイ１１０ａに、原稿の前半部分である原稿ＭＳ１（たとえば１０００頁の原稿をスキャンする場合には１頁〜５００頁の部分）をセットする操作を行う。この操作を受け付けると、ＭＦＰ１００ａは原稿検知部１０９で原稿ＭＳ１を検知し、操作端末２００へ原稿の検知を通知する。操作端末２００は、この通知を受信すると、初期画面（図５）を表示操作部２０２に表示し、操作端末２００がＭＦＰ１００ｂへ接近したか否かを接近検知部２０６で判別（検知）する。
【００５９】
次にユーザーは、矢印ＡＲ１で示すように、操作端末２００を持ったままＭＦＰ１００ｂに接近し、ＭＦＰ１００ｂにおける原稿の載置トレイ１１０ｂに、原稿の後半部分である原稿ＭＳ２（たとえば１０００枚の原稿を読み込む場合には５０１頁〜１０００頁の部分）をセットする操作を行う。ユーザーがＭＦＰ１００ｂに接近すると、操作端末２００は、操作端末２００がＭＦＰ１００ｂへ接近したことを接近検知部２０６で検知する。操作端末２００は、操作端末２００がＭＦＰ１００ｂへ接近したことを検知した場合に、連携可能テーブルを参照し、ＭＦＰ１００ａがＭＦＰ１００ｂとともに行うことが可能な連携動作（連携機能）を識別し、識別した連携動作を含む連携操作画面（図７）を表示操作部２０２に表示する。これにより、操作端末２００は連携動作に関する指示を、連携操作画面を通じてユーザーから受け付け可能な状態となる。
【００６０】
ユーザーは、連携操作画面を通じて、原稿のスキャンの連携動作に関する条件の設定および連携動作の指示を行う。操作端末２００は、原稿のスキャンの連携動作に関する指示をユーザーから受け付けると、その指示をＭＦＰ１００ａおよびＭＦＰ１００ｂの各々へ送信する。ＭＦＰ１００ａおよびＭＦＰ１００ｂの各々は、受信した指示に基づいて連携動作を実行する。具体的には、ＭＦＰ１００ａおよびＭＦＰ１００ｂの各々は、受信した指示に基づいて原稿のスキャンを実行する。ＭＦＰ１００ａおよびＭＦＰ１００ｂの各々は、ユーザーが連携操作画面を通じて選択した格納先などへ、スキャンによって生成した画像データを送信し、格納先の機器（ＭＦＰ１００ａ、ＭＦＰ１００ｂ、または操作端末２００など）は、受信した画像データをマージして出力（たとえば格納）する。
【００６１】
たとえば格納先がＭＦＰ１００ａの記憶部１０５である場合、ＭＦＰ１００ｂは原稿のスキャンによって生成した画像データＤＴ２（原稿の５０１頁〜１０００頁の画像データ）をＭＦＰ１００ａに送信する。ＭＦＰ１００ａは、ＭＦＰ１００ａの画像撮像部１０８で読み取った原稿の画像データＤＴ１（原稿の１頁〜５００頁の画像データ）と、受信した画像データＤＴ２とをマージし、マージした画像データＤＴをＭＦＰ１００ａの記憶部１０５に格納する。画像データのマージを行う機器は任意のものであってもよい。
【００６２】
操作端末２００は、上述のようにＭＦＰ１００ａで操作を受け付けた場合の他、操作端末２００で操作（たとえばＭＦＰ１００ａに関する操作）を受け付けた場合に、操作端末２００がＭＦＰ１００ｂへ接近したか否かを検知してもよい。
【００６３】
操作端末２００は、連携動作に関する指示を、ＭＦＰ１００ａを経由せずに操作端末２００からＭＦＰ１００ｂへ無線通信により直接送信することが好ましいが、操作端末２００がＭＦＰ１００ｂを直接操作できないものであるなどの場合には、ＭＦＰ１００ａは、連携動作に関する指示を、有線のＬＡＮ３００ａを介してＭＦＰ１００へ送信してもよい。
【００６４】
接近検知部２０６は、操作端末２００とＭＦＰ１００ｂとの距離が一定値以内となった場合に、操作端末２００がＭＦＰ１００ｂへ接近したと判別してもよいし、操作端末２００とＭＦＰ１００ｂとの距離が操作端末２００とＭＦＰ１００ａとの距離よりも小さくなった場合に、操作端末２００がＭＦＰ１００ｂへ接近したと判別してもよい。
【００６５】
図５は、操作端末２００の表示操作部２０２に表示される初期画面を模式的に示す図である。
【００６６】
図５を参照して、原稿を検知したことの通知を操作端末２００がＭＦＰ１００ａから受け付けた場合に、操作端末２００は、ＭＦＰ１００ａで実行するジョブの選択を受け付ける初期画面を表示操作部２０２に表示する。この初期画面は、たとえば、原稿のスキャンジョブの選択を受け付けるキーＫ１と、コピージョブの選択を受け付けるキーＫ２と、プリントジョブの選択を受け付けるキーＫ３と、ファクシミリ送信ジョブの選択を受け付けるキーＫ４と、メール送信ジョブの選択を受け付けるキーＫ５とを含んでいる。
【００６７】
この初期画面において、キーＫ１が押下された場合には、操作端末２００は、図６に示す通常操作画面を表示操作部２０２に表示する。
【００６８】
図６は、操作端末２００の表示操作部２０２に表示される、スキャンジョブに関する通常操作画面を模式的に示す図である。
【００６９】
図６を参照して、初期画面においてキーＫ１が押下された場合、操作端末２００は、ＭＦＰ１００ａが実行する原稿のスキャンジョブの条件の設定を受け付ける通常操作画面を、表示操作部２０２に表示する。この通常操作画面は、たとえば、カラーモードや写真モードなどのスキャンモードの設定を受け付けるキーＫ６と、スキャンする際の解像度の設定を受け付けるキーＫ７と、保存先（格納先）の選択を受け付けるキーＫ８と、スキャンジョブの実行の指示を受け付けるキーＫ９と、スキャンジョブの条件の設定のキャンセルキーを受け付けるキーＫ１０とを含んでいる。
【００７０】
この通常操作画面において、キーＫ９が押下された場合、操作端末２００は、設定された条件と、スキャンジョブの実行の指示とをＭＦＰ１００ａへ送信する。ＭＦＰ１００ａは、これらを受信すると、設定された条件で原稿のスキャンを実行する。なお、この動作はＭＦＰ１００ａとＭＦＰ１００ｂと連携して行う動作ではなく、ＭＦＰ１００ａが単独で行う動作である。
【００７１】
図７は、本発明の第１の実施の形態において、操作端末２００の表示操作部２０２に表示される連携操作画面を模式的に示す図である。なお図７においては、操作端末２００の図５中左側部２００ａが下部に位置する向き（図５の向きから反時計回りに９０度回転した向き）で、操作端末２００が表されている。
【００７２】
図７を参照して、操作端末２００がＭＦＰ１００ｂへ接近したことを接近検知部２０６で検知した場合に、操作端末２００は、原稿のスキャンの連携動作の条件の設定および連携動作の指示を受け付ける画面である連携操作画面を表示操作部２０２に表示する。この連携操作画面は、主画面ＤＰ１と、共通設定画面ＤＰ２とを含んでいる。主画面ＤＰ１は、ＭＦＰ１００ａによる原稿のスキャンの要否の選択を受け付けるキーＫ１１と、ＭＦＰ１００ｂによる原稿のスキャンの要否の選択を受け付けるキーＫ１２とを含んでいる。共通設定画面ＤＰ２は、ＭＦＰ１００ａおよびＭＦＰ１００ｂで共通する原稿のスキャンの条件の設定を受け付ける画面である。共通設定画面ＤＰ２は、図６に示す通常操作画面に含まれるキーと同様のキーＫ６〜Ｋ１０を含んでいる。なおキーＫ１０では、保存先として、ＭＦＰ１００ａのボックス領域が選択されている。
【００７３】
キーＫ１１において「有効」が選択された状態でキーＫ９が押下された場合には、操作端末２００は、載置トレイ１１０ａに載置された原稿のスキャンをＭＦＰ１００ａに対して指示し、キーＫ１１において「無効」が選択された状態でキーＫ９が押下された場合には、原稿のスキャンをＭＦＰ１００ａに対して指示しない。同様に、キーＫ１２において「有効」が選択された状態でキーＫ９が押下された場合には、操作端末２００は、載置トレイ１１０ｂに載置された原稿のスキャンをＭＦＰ１００ｂに対して指示し、キーＫ１２において「無効」が選択された状態でキーＫ９が押下された場合には、原稿のスキャンをＭＦＰ１００ｂに対して指示しない。つまり、キーＫ１１およびキーＫ１２の両方で「有効」が選択された状態でキーＫ９が押下された場合に、ＭＦＰ１００ａおよびＭＦＰ１００ｂは、設定された条件で並行して原稿のスキャンを行う。
【００７４】
なお操作端末２００は、図７に示す連携操作画面で、ＭＦＰ１００ａで読み込んだ原稿の画像データと、ＭＦＰ１００ｂで読み込んだ原稿の画像データとのマージ条件（たとえばどちらのデータを先にするか）や、生成する画像データの名前（文書名）の設定や、生成する画像データのファイル形式などの設定を受け付けてもよい。さらに操作端末２００は、ＭＦＰ１００ａとＭＦＰ１００ｂとで互いに異なる原稿のスキャンの条件の設定を受け付けてもよい。
【００７５】
図７の連携操作画面は、表示操作部２０２に表示されているタブＴＢ１〜ＴＢ３（連携機能選択タブ）のうち、タブＴＢ１が押下された場合に表示される画面である。タブＴＢ２またはＴＢ３が押下された場合には、操作端末２００は、後述の第２および第３の実施の形態で説明するように、押下されたタブに対応する連携操作画面を表示する。
【００７６】
ＭＦＰ１００ａおよびＭＦＰ１００ｂの各々は、連携動作を終了した場合に、動作の終了を操作端末２００に通知し、操作端末２００は、ＭＦＰ１００ａおよびＭＦＰ１００ｂの両方からこの通知を受信した場合に、図８に示すように、処理終了の表示を表示操作部２０２に行ってもよい。
【００７７】
図９は、本発明の第２の実施の形態における画像処理システムの動作を示すフローチャートである。
【００７８】
図９を参照して、ユーザーが操作端末２００を持ったままＭＦＰ１００ａに接近すると、操作端末２００のシステムコントローラー２０１は、ＭＦＰ１００ａとの通信を開始する（Ｓ１）。ユーザーが、ＭＦＰ１００ａに原稿の前半部分をセットすると（Ｓ１０１）、ＭＦＰ１００ａのシステムコントローラー１０１は、その原稿を検知し（Ｓ１０３）、操作端末２００へ原稿の検知を通知する（Ｓ１０５）。操作端末２００のシステムコントローラー２０１は、原稿の検知の通知をＭＦＰ１００ａから受信すると（Ｓ３）、初期画面（図５）を表示操作部２０２に表示する（Ｓ５）。
【００７９】
ユーザーが、操作端末２００を持ったままＭＦＰ１００ｂに接近し、ＭＦＰ１００ｂにおける原稿の載置トレイ１１０ｂに、原稿の後半部分をセットすると（Ｓ２０１）、操作端末２００のシステムコントローラー２０１は、操作端末２００がＭＦＰ１００ｂに接近したことを検知する（Ｓ７）。次にシステムコントローラー２０１は、連携可能テーブルを参照し、ＭＦＰ１００ａがＭＦＰ１００ｂとともに行うことが可能な連携動作を識別し（Ｓ９）、識別した連携動作を含む連携操作画面を表示する（Ｓ１１）。続いてシステムコントローラー２０１は、原稿のスキャンの条件の設定および原稿のスキャンの連携動作に関する指示をユーザーから受け付けると（Ｓ１３）、その条件および指示をＭＦＰ１００ａおよびＭＦＰ１００ｂの各々へ通知する（Ｓ１５）。
【００８０】
ＭＦＰ１００ｂのシステムコントローラー１０１は、原稿のスキャンの条件および原稿のスキャンの連携動作に関する指示を操作端末２００から受信すると、ＭＦＰ１００ａと連携して、その条件で原稿のスキャンを行う（Ｓ２０３）。次にＭＦＰ１００ｂのシステムコントローラー１０１は、スキャンによって生成した画像データ（スキャンデータ）をＭＦＰ１００ａへ送信し（Ｓ２０５）、原稿のスキャンの終了を操作端末２００に通知し（Ｓ２０７）、処理を終了する。
【００８１】
ＭＦＰ１００ａのシステムコントローラー１０１は、原稿のスキャンの条件および原稿のスキャンの連携動作に関する指示を操作端末２００から受信すると、その条件で原稿のスキャンを行う（Ｓ１０７）。次にＭＦＰ１００ａのシステムコントローラー１０１は、画像データをＭＦＰ１００ｂから受信し（Ｓ１０９）、ＭＦＰ１００ａが生成した画像データと、ＭＦＰ１００ｂから受信した画像データとをマージする（Ｓ１１１）。続いてＭＦＰ１００ａのシステムコントローラー１０１は、マージした画像データを格納先であるＭＦＰ１００ａの記憶部１０５に格納し（Ｓ１１３）、原稿のスキャンの終了を操作端末２００に通知し（Ｓ１１５）、処理を終了する。
【００８２】
システムコントローラー２０１は、原稿のスキャンの終了の通知をＭＦＰ１００ｂおよびＭＦＰ１００ａの各々から受信すると（Ｓ１７およびＳ１９）、処理終了の表示を表示操作部２０２に行い（Ｓ２１）、処理を終了する。
【００８３】
［第２の実施の形態］
本実施の形態では、ＭＦＰ１００ａとＭＦＰ１００ｂとが連携して会議資料のボックス保存を行う場合の、画像処理システムの動作について説明する。会議資料のボックス保存とは、本文（本文用原稿）と添付資料（添付用原稿）とにより構成される会議資料を読み込んで、その画像データを格納先に保存する動作を意味している。
【００８４】
図１０は、本発明の第２の実施の形態において、ユーザーが行う操作を説明する図である。
【００８５】
図１０を参照して、ユーザーは、ＭＦＰ１００ａにおける原稿の載置トレイ１１０ａに、会議資料の本文である原稿ＭＳ３をセットする操作を行い、ＭＦＰ１００ｂにおける原稿の載置トレイ１１０ｂに、会議資料の添付資料である原稿ＭＳ４をセットする操作を行う。ユーザーが原稿ＭＳ４をセットするために、矢印ＡＲ２で示すようにＭＦＰ１００ｂに接近すると、操作端末２００は、操作端末２００がＭＦＰ１００ｂへ接近したことを接近検知部２０６で検知し、図７に示す連携操作画面を表示操作部２０２に表示する。この連携操作画面において、タブＴＢ２が押下された場合、操作端末２００は、図１１に示す連携操作画面を表示する。これにより、操作端末２００は会議資料のボックス保存の連携動作に関する指示をユーザーから受け付け可能な状態となる。
【００８６】
ユーザーは、連携操作画面を通じて、会議資料のボックス保存の連携動作に関する条件の設定および連携動作の指示を行う。操作端末２００は、会議資料のボックス保存に関する指示をユーザーから受け付けると、その指示をＭＦＰ１００ａおよびＭＦＰ１００ｂの各々へ送信する。ＭＦＰ１００ａおよびＭＦＰ１００ｂの各々は、受信した指示に基づいて連携動作を実行する。具体的には、ＭＦＰ１００ａおよびＭＦＰ１００ｂの各々は、受信した指示に基づいて原稿のスキャンを実行する。ＭＦＰ１００ａおよびＭＦＰ１００ｂの各々は、ユーザーが連携操作画面を通じて選択した格納先などへ、スキャンによって生成したデータＤＴ３およびＤＴ４を出力（たとえば格納）する。格納先の機器（ＭＦＰ１００ａ、ＭＦＰ１００ｂ、または操作端末２００など）は、ＭＦＰ１００ａから受信したデータＤＴ３と、ＭＦＰ１００ａから受信したデータＤＴ４とにファイル名を付け、データＤＴ３およびＤＴ４を別々に格納（保存）する。なお、格納先の機器は任意のものであってよい。
【００８７】
格納先の機器は、データＤＴ４を、データＤＴ３のファイル名の一部と共通するファイル名で格納することが好ましい。操作端末２００は、データＤＴ３のファイル名とデータＤＴ４のファイル名とに共通する部分の文字の設定をユーザーから受け付けてもよい。
【００８８】
図１１は、本発明の第２の実施の形態において、操作端末２００の表示操作部２０２に表示される連携操作画面を模式的に示す図である。
【００８９】
図１１を参照して、この連携操作画面は、会議資料のボックス保存の連携動作の条件の設定および連携動作の指示を受け付ける画面である。連携操作画面は、主画面ＤＰ３と、共通設定画面ＤＰ４とを含んでいる。主画面ＤＰ１は、本文と添付資料との中からＭＦＰ１００ａで読み取る原稿の種類の選択を受け付けるキーＫ１３と、本文と添付資料との中からＭＦＰ１００ｂで読み取る原稿の種類の選択を受け付けるキーＫ１４とを含んでいる。共通設定画面ＤＰ２は、ＭＦＰ１００ａおよびＭＦＰ１００ｂで共通する動作の条件である原稿のスキャンの条件の設定を受け付ける画面である。共通設定画面ＤＰ４は、カラーモードや写真モードなどのスキャンモードの設定を受け付けるキーＫ６と、保存先（格納先）の選択を受け付けるキーＫ８と、原稿のスキャンによって生成した画像データの名前（文書名）の設定を受け付けるキーＫ１５と、会議資料のボックス保存の連携動作の指示を受け付けるキーＫ９と、原稿のスキャンジョブの条件の設定のキャンセルキーを受け付けるキーＫ１０とを含んでいる。
【００９０】
操作端末２００は、会議資料のボックス保存の連携動作に関する指示をユーザーから受け付けると、その指示をＭＦＰ１００ａおよびＭＦＰ１００ｂの各々へ送信する。ＭＦＰ１００ａおよびＭＦＰ１００ｂの各々は、受信した指示に基づいて連携動作を実行する。具体的には、ＭＦＰ１００ａおよびＭＦＰ１００ｂの各々は、受信した指示に基づいて会議資料のスキャンを実行する。ＭＦＰ１００ａおよびＭＦＰ１００ｂの各々は、スキャンによって生成したデータに名前を付け、ユーザーが連携操作画面を通じて選択した格納先などへこのデータを出力する。格納先の機器（ＭＦＰ１００ａ、ＭＦＰ１００ｂ、または操作端末２００など）は、受信したデータを別々に格納する。たとえば、ＭＦＰ１００ａが読み取った原稿が本文であり、ＭＦＰ１００ｂが読み取った原稿が添付資料である場合には、ＭＦＰ１００ａは、生成したデータに『「文書名（キーＫ１５で設定を受け付けた名前）」＋「本文」』という名前を付け、ＭＦＰ１００ｂは、生成したデータに『「文書名（キーＫ１５で設定を受け付けた名前）」＋「添付」』という名前を付ける。たとえば文書名が「○○会議資料」である場合には、ＭＦＰ１００ａは、生成したデータに「○○会議資料本文」という名前を付け、ＭＦＰ１００ｂは、生成したデータに「○○会議資料添付」という名前を付ける。
【００９１】
図１２は、本発明の第２の実施の形態における画像処理システムの動作を示すフローチャートである。
【００９２】
図１２を参照して、ユーザーが操作端末２００を持ったままＭＦＰ１００ａに接近すると、操作端末２００のシステムコントローラー２０１は、ＭＦＰ１００ａとの通信を開始する（Ｓ４１）。ユーザーが、ＭＦＰ１００ａに会議資料の本文をセットすると（Ｓ１４１）、ＭＦＰ１００ａのシステムコントローラー１０１は、その原稿を検知し（Ｓ１４３）、操作端末２００へ原稿の検知を通知する（Ｓ１４５）。操作端末２００のシステムコントローラー２０１は、原稿の検知の通知をＭＦＰ１００ａから受信すると（Ｓ４３）、初期画面（図５）を表示操作部２０２に表示する（Ｓ４５）。
【００９３】
ユーザーが、操作端末２００を持ったままＭＦＰ１００ｂに接近し、ＭＦＰ１００ｂにおける原稿の載置トレイ１１０ｂに、会議資料の添付資料をセットすると（Ｓ２４１）、操作端末２００のシステムコントローラー２０１は、操作端末２００がＭＦＰ１００ｂに接近したことを検知する（Ｓ４７）。次にシステムコントローラー２０１は、連携可能テーブルを参照し、ＭＦＰ１００ａがＭＦＰ１００ｂとともに行うことが可能な連携動作を識別し（Ｓ４９）、識別した連携動作を含む連携操作画面を表示する（Ｓ５１）。続いてシステムコントローラー２０１は、会議資料のボックス保存の条件の設定および会議資料のボックス保存の連携動作に関する指示をユーザーから受け付けると（Ｓ５３）、その条件および指示をＭＦＰ１００ａおよびＭＦＰ１００ｂの各々へ通知する（Ｓ５５）。
【００９４】
ＭＦＰ１００ｂのシステムコントローラー１０１は、会議資料のボックス保存の条件および会議資料のボックス保存の連携動作に関する指示を操作端末２００から受信すると、その条件で原稿のスキャンを行う（Ｓ２４３）。次にＭＦＰ１００ｂのシステムコントローラー１０１は、スキャンによって生成した画像データ（スキャンデータ）に『「文書名）」＋「添付」』という名前を付けて、格納先へ格納する（Ｓ２４５）。その後、ＭＦＰ１００ｂのシステムコントローラー２０１は、会議資料のボックス保存の終了を操作端末２００に通知し（Ｓ２４７）、処理を終了する。
【００９５】
ＭＦＰ１００ａのシステムコントローラー１０１は、原稿のスキャンの条件および原稿のスキャンの連携動作に関する指示を操作端末２００から受信すると、その条件で原稿のスキャンを行う（Ｓ１４７）。次にＭＦＰ１００ａのシステムコントローラー１０１は、スキャンによって生成した画像データ（スキャンデータ）に『「文書名」＋「本文」』という名前を付けて、格納先へ格納する（Ｓ１４９）。その後、ＭＦＰ１００ａのシステムコントローラー２０１は、会議資料のボックス保存の終了を操作端末２００に通知し（Ｓ１５１）、処理を終了する。
【００９６】
システムコントローラー２０１は、原稿のスキャンの終了の通知をＭＦＰ１００ｂおよびＭＦＰ１００ａの各々から受信すると（Ｓ５７およびＳ５９）、処理終了の表示を表示操作部２０２に行い（Ｓ６１）、処理を終了する。
【００９７】
なお、上述した以外の画像処理システムの構成や動作は、第１の実施の形態の場合の画像処理システムの構成や動作と同様であるので、その説明は繰り返さない。
【００９８】
［第３の実施の形態］
本実施の形態では、ＭＦＰ１００ａとＭＦＰ１００ｂとが連携して原稿（たとえば会議資料など）のコピーまたはプリントを行う場合の、画像処理システムの動作について説明する。
【００９９】
図１３は、本発明の第３の実施の形態において、ユーザーが行う操作を説明する図である。
【０１００】
図１３を参照して、始めにユーザーは、操作端末２００を持ったままＭＦＰ１００ａに接近し、ＭＦＰ１００ａにおける原稿の載置トレイ１１０ａに、原稿ＭＳ（たとえば１０００頁の原稿）をセットする操作を行う。この操作を受け付けると、ＭＦＰ１００ａは原稿検知部１０９で原稿ＭＳを検知し、操作端末２００へ原稿の検知を通知する。操作端末２００は、この通知を受信すると、初期画面（図５）を表示操作部２０２に表示し、操作端末２００がＭＦＰ１００ｂへ接近したか否かを接近検知部２０６で判別（検知）する。
【０１０１】
次にユーザーは、矢印ＡＲ３で示すように、操作端末２００を持ったままＭＦＰ１００ｂに接近する。ユーザーがＭＦＰ１００ｂに接近すると、操作端末２００は、操作端末２００がＭＦＰ１００ｂへ接近したことを接近検知部２０６で検知する。操作端末２００は、操作端末２００がＭＦＰ１００ｂへ接近したことを検知した場合に、連携可能テーブルを参照し、ＭＦＰ１００ａがＭＦＰ１００ｂとともに行うことが可能な連携動作（連携機能）を識別し、識別した連携動作を含む連携操作画面（図７）を表示操作部２０２に表示する。この連携操作画面において、タブＴＢ３が押下された場合、操作端末２００は、図１５に示す連携操作画面を表示する。これにより、操作端末２００はコピーの連携動作に関する指示をユーザーから受け付け可能な状態となる。
【０１０２】
ユーザーは、連携操作画面を通じて、原稿のコピーの連携動作に関する条件の設定および連携動作の指示を行う。操作端末２００は、原稿のコピーの連携動作に関する指示をユーザーから受け付けると、その指示をＭＦＰ１００ａおよびＭＦＰ１００ｂの各々へ送信する。ＭＦＰ１００ａおよびＭＦＰ１００ｂの各々は、受信した指示に基づいて連携動作を実行する。具体的には、ＭＦＰ１００ａは、受信した指示に基づいて原稿のスキャンを実行し、画像データを生成する。ＭＦＰ１００ａは、生成した画像データのうちＭＦＰ１００ｂが印刷する分の画像データをＭＦＰ１００ｂへ送信する。ＭＦＰ１００ａは、生成した画像データのうちＭＦＰ１００ａが印刷する分の画像データに基づいて、設定された条件でプリントを実行し、印刷物ＰＭ１を出力する。ＭＦＰ１００ｂは、ＭＦＰ１００ａから取得した画像データに基づいて、設定された条件でプリントを実行し、印刷物ＰＭ２を出力する。
【０１０３】
図１４は、操作端末２００の表示操作部２０２に表示される、コピージョブに関する通常操作画面を模式的に示す図である。
【０１０４】
図１４を参照して、初期画面においてキーＫ２が押下された場合、操作端末２００は、ＭＦＰ１００ａが実行するコピージョブの条件の設定を受け付ける通常操作画面を、表示操作部２０２に表示する。この通常操作画面は、たとえば、カラーモードや写真モードなどのコピーモードの設定を受け付けるキーＫ１６と、スキャンまたはプリントの片面プリントまたは両面プリントの設定を受け付けるキーＫ１７と、割り付けに関する設定を受け付けるキーＫ１８と、コピージョブの実行の指示を受け付けるキーＫ１９と、コピージョブの条件の設定のキャンセルキーを受け付けるキーＫ２０と、コピー部数の設定を受け付けるキーＫ２１とを含んでいる。デフォルトの状態では、モノクロモード、片面プリント、割り付け無しの各条件が設定されており、コピー部数の初期値は１枚に設定されている。
【０１０５】
この通常操作画面において、キーＫ１９が押下された場合、操作端末２００は、設定された条件と、コピージョブの実行の指示とをＭＦＰ１００ａへ送信する。ＭＦＰ１００ａは、これらを受信すると、設定された条件で原稿のスキャンを実行し、原稿の画像のプリントを行う。なお、この動作はＭＦＰ１００ａとＭＦＰ１００ｂと連携して行う動作ではなく、ＭＦＰ１００ａが単独で行う動作である。
【０１０６】
図１５は、本発明の第３の実施の形態において、操作端末２００の表示操作部２０２に表示される連携操作画面を模式的に示す図である。なお図１５においては、操作端末２００の図１４中左側部２００ａが下部に位置する向き（図１４の向きから反時計回りに９０度回転した向き）で、操作端末２００が表されている。
【０１０７】
図１５を参照して、この連携操作画面は、主画面ＤＰ５と、ＭＦＰ別設定画面ＤＰ６とを含んでいる。主画面ＤＰ５は、ガイダンス画面であり、ＭＦＰ１００ａが行うコピーの条件を設定する際に押下されるキーＫ２２と、ＭＦＰ１００ｂが行うコピーの条件を設定する際に押下されるキーＫ２３とを含んでいる。キーＫ２２の押下を受け付けた場合、操作端末２００は、ＭＦＰ１００ａが行うプリントの条件の設定項目をＭＦＰ別設定画面ＤＰ６に表示し、キーＫ２３の押下を受け付けた場合、操作端末２００は、ＭＦＰ１００ｂが行うプリントの条件の設定項目をＭＦＰ別設定画面ＤＰ６に表示する。ＭＦＰ別設定画面ＤＰ６は、図１４に示す通常操作画面に含まれるキーと同様のキーＫ１６〜Ｋ２１を含んでいる。これにより、ＭＦＰ１００ａおよびＭＦＰ１００ｂの各々に互いに異なる条件でプリントを実行させることができる。
【０１０８】
図１５に示す連携操作画面では、ＭＦＰ１００ａが行うコピーの条件として、外部配布用の会議資料のコピーの条件が設定されており、ＭＦＰ１００ｂが行うコピーの条件として、部内配布用の会議資料のコピーの条件が設定されている。具体的には、ＭＦＰ１００ａが行うコピーの条件として、カラーモードの片面プリントで割り付けを行わずに５部をコピーする条件が設定されている。ＭＦＰ１００ｂが行うコピーの条件として、モノクロモードの片面プリントで２イン１の割り付けを行って１０部をコピーする条件が設定されている。コピーの条件が設定されている状態でキーＫ１９の押下を受け付けた場合、操作端末２００は、載置トレイ１１０ａに載置された原稿を設定された条件でプリント（コピー）するよう、ＭＦＰ１００ａおよびＭＦＰ１００ｂに対して指示する。
【０１０９】
図１６は、本発明の第３の実施の形態における画像処理システムの動作を示すフローチャートである。
【０１１０】
図１６を参照して、ユーザーが操作端末２００を持ったままＭＦＰ１００ａに接近すると、操作端末２００のシステムコントローラー２０１は、ＭＦＰ１００ａとの通信を開始する（Ｓ７１）。ユーザーが、ＭＦＰ１００ａに原稿をセットすると（Ｓ１７１）、ＭＦＰ１００ａのシステムコントローラー１０１は、その原稿を検知し（Ｓ１７３）、操作端末２００へ原稿の検知を通知する（Ｓ１７５）。操作端末２００のシステムコントローラー２０１は、原稿の検知の通知をＭＦＰ１００ａから受信すると（Ｓ７３）、初期画面（図５）を表示操作部２０２に表示する（Ｓ７５）。
【０１１１】
ユーザーが、操作端末２００を持ったままＭＦＰ１００ｂに接近すると（Ｓ２７１）、操作端末２００のシステムコントローラー２０１は、操作端末２００がＭＦＰ１００ｂに接近したことを検知する（Ｓ７７）。次にシステムコントローラー２０１は、連携可能テーブルを参照し、ＭＦＰ１００ａがＭＦＰ１００ｂとともに行うことが可能な連携動作を識別し（Ｓ７９）、識別した連携動作を含む連携操作画面を表示する（Ｓ８１）。続いてシステムコントローラー２０１は、原稿のコピーの条件の設定および原稿のコピーの連携動作に関する指示をユーザーから受け付けると（Ｓ８３）、その条件および指示をＭＦＰ１００ａおよびＭＦＰ１００ｂの各々へ通知する（Ｓ８５）。
【０１１２】
ＭＦＰ１００ａのシステムコントローラー１０１は、原稿のコピーの条件および原稿のコピーの連携動作に関する指示を操作端末２００から受信すると、その条件で原稿のスキャンを行う（Ｓ１７７）。次にＭＦＰ１００ａのシステムコントローラー１０１は、スキャンによって生成した画像データをＭＦＰ１００ｂへ送信し（Ｓ１７９）、スキャンによって生成した画像データに基づいて、設定された条件でプリントを行う（Ｓ１８１）。その後、ＭＦＰ１００ａのシステムコントローラー１０１は、原稿のコピーの終了を操作端末２００に通知し（Ｓ１８３）、処理を終了する。
【０１１３】
ＭＦＰ１００ｂのシステムコントローラー１０１は、原稿のコピーの条件および原稿のコピーの連携動作に関する指示を操作端末２００から受信すると（Ｓ２７３）、画像データをＭＦＰ１００ａから受信する（Ｓ２７５）。次に、ＭＦＰ１００ｂのシステムコントローラー１０１は、ＭＦＰ１００ａから受信した画像データに基づいて、設定された条件でプリントを行い（Ｓ２７７）、原稿のコピーの終了を操作端末２００に通知し（Ｓ２７９）、処理を終了する。
【０１１４】
システムコントローラー２０１は、原稿のコピーの終了の通知をＭＦＰ１００ｂおよびＭＦＰ１００ａの各々から受信すると（Ｓ８７およびＳ８９）、処理終了の表示を表示操作部２０２に行い（Ｓ９１）、処理を終了する。
【０１１５】
本実施の形態では、操作端末２００がコピーの連携動作の指示を受け付け、ＭＦＰ１００ａでのスキャンによって生成した画像データに基づいてＭＦＰ１００ａおよびＭＦＰ１００ｂの各々がプリントを行う場合について示した。本実施の形態は、このような場合の他、操作端末２００が出力（たとえばプリント）の連携動作の指示を受け付け、ＭＦＰ１００ａおよびＭＦＰ１００ｂの各々が、共通の取得先（入力元）から画像データを取得し、そのデータを出力するものであってもよい。この場合の画像データの取得先は、たとえば画像読取装置、外部機器における画像データの保存領域、または画像データの受信先などであってもよい。
【０１１６】
なお、ＭＦＰ別設定画面ＤＰ６において、ＭＦＰ１００ａが行うコピーの条件として、画像データの第１の部分（たとえば１０００頁の原稿をコピーする場合には１頁〜５００頁の部分）をプリントする条件の設定を受け付け、ＭＦＰ１００ｂが行うコピーの条件として、画像データの第１の部分とは異なる第２の部分（たとえば１０００頁の原稿をコピーする場合には５０１頁〜１０００頁の部分）をプリントする条件の設定を受け付け、ＭＦＰ１００ａおよびＭＦＰ１００ｂにこれらの条件でのプリントを実行させてもよい。
【０１１７】
［実施の形態の効果］
上述の実施の形態によれば、ユーザーは、ＭＦＰ１００ａまたは操作端末２００を操作しているときに、ＭＦＰ１００ｂに接近することで、ＭＦＰ１００ａとＭＦＰ１００ｂとに連携動作させることができ。たとえば、ＭＦＰ１００ａおよびＭＦＰ１００ａに連携してスキャンを行わせる場合、原稿をセットするためにＭＦＰ１００ｂに接近するユーザーの動作が、そのまま連携動作のトリガとなる。このため、ＭＦＰと連携動作させる他のＭＦＰを指定する煩雑さが無く、簡易な方法でＭＦＰ同士を連携動作させることができる。加えて、複数のＭＦＰが連携して一つのジョブを実行するので、たとえばスキャンやプリントなどのジョブを高速化することができる。
【０１１８】
また、複数のＭＦＰの各々に対するジョブの条件の設定を受け付ける場合には、互いに異なる条件で複数のＭＦＰにジョブを実行させることができる。
【０１１９】
さらに、ＭＦＰ１００ａで行うジョブとＭＦＰ１００ｂで行うジョブとに１つのジョブを分散して処理することができるため、スキャンやプリントなどのジョブを高速化することができ、複数のＭＦＰの各々で互いに異なる条件でジョブを実行することができる。
【０１２０】
［その他］
ＭＦＰは、上述の実施の形態で説明した以外の動作を連携可能であってもよく、操作端末２００は、図７、図１１、または図１５に示す以外の連携操作画面を表示可能であってもよい。また、上述の実施の形態は適宜組み合わせることができる。
【０１２１】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１２２】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２３】
１００，１００ａ，１００ｂ、１００ｃ  ＭＦＰ
１０１，２０１  システムコントローラー
１０２  操作部
１０３，２０３  メモリ
１０４，２０４  通信部
１０５，２０５  記憶部
１０６  画像形成部
１０７  画像処理部
１０８  画像撮像部
１０９  原稿検知部
１１０ａ，１１０ｂ  載置トレイ
２００  操作端末
２０２  表示操作部
２０６  接近検知部
３００  ネットワーク
３００ａ  有線のＬＡＮ
３００ｂ  無線のＬＡＮ
ＤＰ１，ＤＰ３，ＤＰ５  主画面
ＤＰ２，ＤＰ４  共通設定画面
ＤＰ６  ＭＦＰ別設定画面
ＤＴ，ＤＴ１〜ＤＴ４  データ
Ｋ１〜Ｋ２３  キー
ＭＳ，ＭＳ１〜ＭＳ４  原稿
ＰＭ，ＰＭ１，ＰＭ２  印刷物
ＴＢ１〜ＴＢ３  タブ
【図１】
0005845919.tif 000002
【図２】
0005845919.tif 000003
【図３】
0005845919.tif 000004
【図４】
0005845919.tif 000005
【図５】
0005845919.tif 000006
【図６】
0005845919.tif 000007
【図７】
0005845919.tif 000008
【図８】
0005845919.tif 000009
【図９】
0005845919.tif 000010
【図１０】
0005845919.tif 000011
【図１１】
0005845919.tif 000012
【図１２】
0005845919.tif 000013
【図１３】
0005845919.tif 000014
【図１４】
0005845919.tif 000015
【図１５】
0005845919.tif 000016
【図１６】
0005845919.tif 000017